(57)【要約】  液体分注水栓レバー１１６用係止部は、水栓１１０に取り付け可能な係止部材１２０を備え、レバー１１６が係止部材内に形成された切欠き１３２内に着座してレバー１１６の閉位置から開位置への移動を阻止する係止位置に位置付け可能である。係止部材１２０は、水栓のスパウト１１４を受けるための係止部材を通って延在する開口１３０を介して水栓１１０に取り付けられ、係止部材１２０がスパウト１１４の周りで回転可能であるようにすることができる。係止部材１２０ａ、１２０ｂは、係止位置から非係止位置に回転可能であり、非係止位置ではレバー１１６が切欠き１３２内に着座せず、レバー１１６の閉位置から開位置への移動が可能になる。係止部材１２０は、レバー１１６が開位置から閉位置に移動すると非係止位置から係止位置に自動的に移動するように構成することができる。
2007507676.tif 000002
【特許請求の範囲】
【請求項１】
液体を受けるための入口、出口、およびアクチュエータを有する弁と、
弁の出口と流体連通しているスパウトと、
アクチュエータに連結され、弁が閉鎖される閉位置および弁が開放されて液体がスパウトから分注可能になる開位置を有するレバーと、
係止部材内に切欠きを画定し、レバーが切欠き内に着座してレバーの閉位置から開位置への移動が阻止される係止位置に位置付け可能な係止部材とを備え、
係止部材は係止位置から非係止位置に可動であり、非係止位置ではレバーが切欠き内に着座せずレバーの閉位置から開位置への移動が可能になる液体分注システム。
【請求項２】
係止部材が、係止位置と非係止位置の間で回転可能である請求項１に記載の液体分注システム。
【請求項３】
係止部材が係止部材を通るスパウト用開口を画定し、スパウト用開口がスパウトを受けて係止部材がスパウトの周りで回転可能であるようになされた請求項２に記載の液体分注システム。
【請求項４】
係止部材が長手方向軸を画定し、スパウト用開口が長手方向軸に全般的に心合せされる請求項３に記載の液体分注システム。
【請求項５】
係止部材が長手方向軸を画定し、スパウトおよびレバーが共に、係止部材が係止位置にある場合に長手方向軸に全般的に心合せされる請求項３に記載の液体分注システム。
【請求項６】
切欠きが、レバーの開位置から閉位置に向かう移動によって係止部材が係止位置に移動されるように形付けられる請求項３に記載の液体分注システム。
【請求項７】
弁アクチュエータが通常閉鎖されている請求項６に記載の液体分注システム。
【請求項８】
アクチュエータがばね負荷式であり、レバーを解放するとレバーが開位置から閉位置に自動的に移動するようになされる請求項７に記載の液体分注システム。
【請求項９】
切欠きが係止部材の長手方向軸に全般的に心合せされた丸みの付いた部分を含み、レバーは、係止部材が係止位置にある場合に丸みの付いた部分内に着座する請求項６に記載の液体分注システム。
【請求項１０】
切欠きが、係止部材の長手方向軸に全般的に心合せされた丸みの付いた部分、および丸みの付いた部分から係止部材の外側縁部まで延在する停止部分を含み、切欠きの停止部分は、レバーが開位置から閉位置に移動されたときにレバーと係合する請求項６に記載の液体分注システム。
【請求項１１】
切欠きの停止部分および係止部材の長手方向軸がスパウト用開口に対して鈍角を画定する請求項１０に記載の液体分注システム。
【請求項１２】
レバーが、閉位置と開位置の間で旋回可能である請求項１に記載の液体分注システム。
【請求項１３】
レバーが、弁アクチュエータに連結された第１の端部および第１の端部に対向する第２の端部を有し、レバーが開位置にある場合はレバーが閉位置にある場合よりも、レバーの第２の端部がスパウトから遠く離れたところに位置付けられる請求項１に記載の液体分注システム。
【請求項１４】
第２の弁および第２のレバーをさらに備える請求項１に記載の液体分注システム。
【請求項１５】
第２の弁の入口が湯源に連結され、第２のレバーは、係止部材が係止位置にある場合に係止部材内に着座する請求項１４に記載の液体分注システム。
【請求項１６】
第２の端部が可動であるように第１の端部が水栓に連結されるように構成された、第１および第２の端部を有する係止部材を備え、
係止部材の第２の端部がその中に水栓の分注レバーを受けるための切欠きを画定し、
係止部材は係止位置を画定し、係止位置で切欠きが分注レバーを捕獲し、
切欠きは係止部材が分注レバーを解放するために係止位置から可動であるように形付けられる、液体分注レバー係止部。
【請求項１７】
係止部材の第１の端部が水栓の液体分注スパウトを受けるための係止部材を通って延在するスパウト用開口を画定して、係止部材が開口を通って挿入されるスパウトの周りで回転可能であるようになされる請求項１６に記載の液体分注レバー係止部。
【請求項１８】
係止部材が長手方向軸を画定し、スパウト用開口が長手方向軸に全般的に心合せされる請求項１７に記載の液体分注レバー係止部。
【請求項１９】
切欠きが、レバーの開位置から閉位置に向かう移動によって係止部材が係止位置に移動されるように形付けられる請求項１７に記載の液体分注レバー係止部。
【請求項２０】
切欠きが係止部材の長手方向軸に全般的に心合せされた丸みの付いた部分を含み、レバーは、係止部材が係止位置にある場合に丸みの付いた部分内に着座する請求項１９に記載の液体分注レバー係止部。
【請求項２１】
切欠きが、係止部材の長手方向軸に全般的に心合せされた丸みの付いた部分、およびレバーと係合して係止部材を係止位置に位置付けるための丸みの付いた部分から係止部材の外側縁部まで延在する停止部分を含む請求項１９に記載の液体分注レバー係止部。
【請求項２２】
切欠きの停止部分および係止部材の長手方向軸がスパウト用開口に対して鈍角を画定する請求項２１に記載の液体分注レバー係止部。
【請求項２３】
係止部材を通って延びる全般的に円筒形の孔を画定する係止部材を備え、
係止部材がその中に切欠きを画定し、
切欠きが丸みの付いた部分を含み、
切欠きが丸みの付いた部分から係止部材の外側縁部まで延在する停止面を含む、レバー係止部。
【請求項２４】
切欠きの孔および丸みの付いた部分が係止部材の長手方向軸に全般的に心合せされる請求項２３に記載のレバー係止部。
【請求項２５】
停止面および長手方向軸が円筒形孔に対して鈍角を画定する請求項２４に記載のレバー係止部。
【請求項２６】
液体を受けるための入口、出口、およびアクチュエータを有する弁と、
弁の出口と流体連通しているスパウトと、
アクチュエータに連結され、弁が閉鎖される閉位置および弁が開放されて液体がスパウトから分注可能になる開位置を有するレバーと、
レバーを閉位置に係止し、レバーの係止を選択的に解除する第１の手段とを備える液体分注システム。
【請求項２７】
第１の手段が、レバーの開位置から閉位置への移動に応じてレバーを自動的に係止する第２の手段を備える請求項２６に記載の液体分注システム。
【請求項２８】
係止部材を水栓に回転可能に取り付けること、および
分注器のレバーを開位置から閉位置に移動させて分注器のレバーが係止部材内に画定された切欠きと係合するようにすることを含む水栓の分注器レバーを閉位置に係止する方法。
【請求項２９】
水栓がスパウトを備えて、分注器の開位置への移動に応じて液体を分注し、係止部材の水栓への回転可能な取り付けが、係止部材がスパウトの周りで回転可能であるようにスパウトを係止部材内のスパウト用開口を通して挿入することを含む請求項２８に記載の方法。
【発明の詳細な説明】
【技術分野】
【０００１】
本発明は、一般に液体分注器に関し、より詳細には、こうした分注器用のレバー係止部に関する。
【背景技術】
【０００２】
流しに取り付ける液体分注器は一般的である。こうした分注器は、たとえば、濾過飲料水または即湯（ｉｎｓｔａｎｔ  ｈｏｔ  ｗａｔｅｒ）の分注に使用することができる。通常、こうした分注器は２つの主な部分、すなわち所望に応じて液体を分注するための流しの上に位置付けられる水栓（ｆａｕｃｅｔ）、およびユーザから見えずカウンタの空間を占領しないように流しの下に取り付けられる他のユニットで構成される。たとえば飲料水システムでは、流しの下のユニットは、水栓に連結されたフィルタまたは他の水処理ユニットを備える。即湯分注器では、流しの下のユニットは、水栓に連結された水加熱器および湯を保持するためのタンクを有する。
【０００３】
上記のように、水栓は通常、流しの上に取り付けられて、ユーザが所望の液体量を分注し、過剰な液体が流しに落下できるようになされている。こうした分注器は、通常、水栓の弁を開放して、濾水またはタンクに保持された湯がユーザに分注されるように使用される。水栓のハンドルを回す、レバーを押し下げる、またはボタンを押すなど、幾つかの異なる方法を用いて弁を開放することができる。
【発明の開示】
【発明が解決しようとする課題】
【０００４】
水栓を閉位置に係止して、分注器の不要または不当な使用を防ぐことが望ましい。たとえば、即湯分注器では、水栓を閉位置に係止して、不慮の湯の放出を防止することが望ましい。しかし、係止装置はコストが高い。さらに、既存の水栓に係止装置を取り付けるのは、一般の消費者には難しい。
【０００５】
本出願は、従来技術に関連する欠点に対処する。
【課題を解決するための手段】
【０００６】
液体分注システムは、液体を受けるための入口、および出口を有する弁を備える。スパウトは、弁の出口と流体連通して液体を出口から分注する。レバーはアクチュエータに連結されて、弁を開閉し、液体を所望に応じて分注する。係止部材は係止位置に位置付け可能であり、係止位置ではレバーが係止部材内に形成された切欠き内に着座して、レバーの閉位置から開位置への移動が阻止される。係止部材は係止位置から非係止位置に移動可能であり、非係止位置では、レバーが切欠き内に存在せず、レバーが閉位置から開位置に移動することができるようになる。例示の係止部材は、管状スパウトを受ける円筒形の孔など、係止部材を通る開口を画定する。スパウト用開口部は、スパウトを受けて、係止部材がスパウトの周りで回転可能であり、係止部材が係止位置と非係止位置の間で回転されるようになされている。
【０００７】
切欠きは、レバーの開位置から閉位置に向かう移動によって、係止部材が係止位置に自動的に移動するように形付けられる。さらに、弁は通常閉鎖された弁でもよく、レバーは、レバーが解放されると開位置から閉位置に自動的に移動する。したがって、水栓の解放後にレバーを単に解放することによって、レバーが閉位置に戻され、係止部材が自動的に係止位置に移動される。
【０００８】
本発明の他の目的および利点は、以下の詳細な説明を読み、図面を参照すれば明らかになるであろう。
【０００９】
本発明には多様な修正形態および変形形態が可能であるが、本発明の特定の実施形態が一例として図面に示され、本明細書に詳細に記載されている。しかし理解されるように、本明細書での特定の実施形態の説明は、本発明を開示の特定の形態に限定するものではなく、逆に、意図することは、特許請求の範囲に記載されているように、全ての修正形態、等価のもの、および変更形態を本発明の精神および範囲内に包含するものである。
【発明を実施するための最良の形態】
【００１０】
本発明の例示の実施形態を以下で説明する。明瞭にするために、実際の実施形態の特徴全てを本明細書に記載してはいない。当然理解されるように、実際の実施形態のいかなる開発でも、開発者の特定の目的を達成するには、実施形態によって変わるシステム関連およびビジネス関連の制約の遵守など、多くの実施形態に固有の決定がなされなければならない。また理解されるように、こうした開発努力は複雑で時間を要するものであるが、本開示の恩恵を有する当業者には日常業務であろう。
【００１１】
図１〜３は、通常の水分注システム１００の構成要素を全般的に示す。分注システム１００は、流しの上に位置し所望に応じて液体を分注する水栓１１０、およびユーザに見えず流し台上の空間を占領しないように流しの下に取り付けられる流しの下のユニット１１２を備える。システム１００が飲料水の分注に使用される場合、たとえば流しの下のユニット１１２は水栓１１０に連結されたフィルタまたは他の水処理ユニットを備える。即湯分注器では、流しの下のユニット１１２は、水栓１１０に連結された水加熱器および湯保持用タンクを有する。
【００１２】
図で示した分注器の水栓１１０は、分注器へのアクセスに十分な余地をもたらすアーチ形スパウト１１４、および所望に応じて液体を分注するように作動される分注器レバー１１６を備える。一部のユニットでは、追加の分注器レバーを設けて、スパウト１１４を介して様々な液体を分注することができる。こうした水栓が図２に示されており、この図では、水栓１１１は２つのレバー１１６、１１７を備える。たとえば、１つのレバー１１６が濾過飲料水を分注し、他方のレバー１１７が即湯を分注することができる。
【００１３】
水栓１１０は弁１１８を備えており、弁１１８は、流しの下のユニット１１２から液体を受けるための入口、およびスパウト１１４に連結された出口を有する。レバー１１６は弁アクチュエータに連結されて、レバー１１６を移動させて弁１１８を開放し、スパウト１１４を通して液体を分注するようになされている。図で示した実施形態では、レバー１１６は閉位置を有し、レバー１１６が開位置にあり弁が開放されて液体のスパウト１１４からの分注が可能な場合よりも、閉位置では、レバー１１６の遠位端がスパウトに近接して位置付けられる。一部の実施形態では、レバー１１６は閉位置と開位置の間で旋回されて、たとえばボール弁が使用される場合は、アクチュエータを回転させる。
【００１４】
本発明の態様によれば、分注システム１００はさらに、レバー１１６を閉位置に係止する係止部材１２０を備える。図で示した例示の水栓１１０では、レバー１１６はスパウト１１４に隣接する通常の閉位置に係止されており、レバー１１６がスパウト１１４から遠い開位置に移動するのが阻止されている。係止部材１２０は、係止位置から非係止位置に可動であり、非係止位置では、レバー１１６が開位置に移動可能である。
【００１５】
図４および図５は、本発明の実施形態による２つの例示の係止部材１２０ａ、１２０ｂを示す。係止部材１２０ａ、１２０ｂは、係止位置と非係止位置の間で可動である。図で示した実施形態では、係止部材は１つの位置から他方の位置に回転することができる。係止部材１２０ａ、１２０ｂは、係止部材１２０ａ、１２０ｂを通るスパウト用開口１３０を画定する。この開口１３０は、係止部材がスパウト１１４の周りで回転可能であるようにスパウト１１４を受ける。図で示したスパウト用開口１１４は、係止部材１２０ａ、１２０ｂを通って延在して管状スパウト１１４を受ける全般的に円筒形の孔である。係止部材１２０ａ、１２０ｂは、スパウト１１４上で摺動して、既存の水栓を簡単に取り替えることができるようになされている。他の実施形態では、係止部材１２０ａ、１２０ｂを、スパウト１１４を受けるスパウト用開口１３０以外の手段によって水栓１１０に回転可能に連結することができる。たとえば非円筒形スパウトを使用する場合は、水栓のベースから延在する別の円筒形部材を設けて、開口１３０と対合させることができる。
【００１６】
係止部材１２０ａ、１２０ｂはその中にさらに、レバー１１６をスパウト１１４により近接した閉位置に係止するための切欠き１３２を画定する。開口１３０および切欠き１３２は、全般的に係止部材１２０ａ、１２０ｂの対向する端部に位置付けられる。図６および図７で示したように、係止部材１２０ａ、１２０ｂを係止位置に位置付けることができる。係止位置では、レバー１１６が切欠き内に着座し、それによってレバーの閉位置から開位置への移動が阻止される。レバー１１６の係止を解除するには、係止部材１２０ａ、１２０ｂが回転されて、レバー１１６が切欠き１３２内に着座しないようにする。それによってレバー１１６が閉位置から開位置に移動され、所望に応じて液体を分注することができるようになる。レバー１１６も全般的に管状であるため、図で示した実施形態の切欠き１３２は、レバー１１６が係止位置にある場合にレバー１１６を受ける丸みの付いた部分１３４を含む。また、図で示した実施形態では、丸みの付いた部分１３４およびスパウト用開口１３０は共に係止部材１２０ａ、１２０ｂの長手方向軸１４０に心合せされ、係止部材１２０ａ、１２０ｂは水栓１１２のベースに心合せされる。
【００１７】
図２で示したように、２つのハンドルを有する水栓構成では、切欠き１３２は通常、レバー１１６または１１７の１つと係合する。たとえば、作動時にレバー１１６が即湯を放出し、レバー１１７が冷飲料水を放出する場合、係止部材１２０ａ、１２０ｂは、「湯」レバー１１６が閉位置にある場合に切欠き１３２内に着座するように位置付けられる可能性が高い。
【００１８】
また、係止部材１２０ｂは自動係止機能を提供する。係止部材１２０ｂの切欠き１３２は、（図７で示したように）レバー１１６の開位置からスパウト１１４により近接した閉位置への移動によって係止部材１２０ｂが係止位置に移動されるように形付けられる。例示の係止部材１２０ｂでは、この自動係止機能は、切欠き１３２の停止部分１４２によって実行される。停止部分１４２は、丸みの付いた部分１３４から係止部材１２０ｂの外側縁部まで延在する。レバー１１６が開位置から閉位置に移動された場合、停止部分１４２はレバー１１６と係合し、レバー１１６が閉位置に到達した場合にレバー１１６が丸みの付いた部分１３４内に着座するまでレバー１１６がスパウト１１４に向けて移動するときに、係止部材１２０ｂは停止面１４２に沿って摺動する。切欠き１３２の形状により、レバー１１６の移動によって生じる係止部材１２０ｂの移動が容易になる。図５で示したように、切欠き１３２の停止部分１４２は、長手方向軸１４０に対する角度θを画定する。角度θは、スパウト用開口１３０が位置する係止部材１２０ｂの側面に対して決定される場合は鈍角である。
【００１９】
こうした分注水栓は通常閉鎖されていることが多いため、解放される場合は、ばね負荷式弁アクチュエータによってレバー１１６が開放された後に自動的に閉位置に戻るように強制される。したがって、水栓１１０を操作するには、ユーザは単に係止部材１２０ｂを図７で示した係止位置から回転させて、レバー１１６が切欠き１３２から出るようにする。次いでユーザは、レバー１１６をスパウト１１４から離れて開位置に向かう方向に移動させて、液体をスパウト１１４から分注することができる。所望量の液体が分注された後、レバー１１６が単に解放され、閉位置に戻る。レバー１１６は停止面１４２と係合して、係止部材１２０ｂを自動的に係止位置に戻す。
【００２０】
本発明の例示の実施形態を以下で説明する。明瞭にするために、実際の実施形態の特徴の全ては本明細書に記載していない。当然理解されるように、実際の実施形態のいかなる開発でも、開発者の特定の目的を達成するには、実施形態によって変わるシステム関連およびビジネス関連の制約の遵守など、多くの実施形態に固有の決定がなされなければならない。また理解されるように、こうした開発努力は複雑で時間を要するものであるが、本開示の恩恵を有する当業者には日常業務であろう。
【００２１】
上記に開示した特定の実施形態は単に例示であり、本発明は、本発明の教示の恩典を有する当業者には明らかな、異なっても等価の方法で修正および実施することができる。さらに、特許請求の範囲に記載された以外は、本明細書で示した構成または設計の詳細に限定されないものとする。したがって明らかなように、上記で開示された特定の実施形態を変更または修正することができ、こうした変形形態は全て本発明の範囲および精神に包含されるものであると考えられる。したがって、本明細書で求められる保護は特許請求の範囲に記載されている。
【図面の簡単な説明】
【００２２】
【図１】単一レバーの液体分注システムの構成要素を全般的に示す斜視図である。
【図２】２つのレバーの液体分注システムの構成要素を全般的に示す斜視図である。
【図３】本発明の態様による水栓の一部を示す図である。
【図４】本発明の一実施形態による係止部材を示す図である。
【図５】本発明の他の実施形態による係止部材を示す図である。
【図６】係止位置にある図４で示した係止装置を示す斜視図である。
【図７】係止位置にある図５で示した係止装置を示す斜視図である。
【図１】
2007507676.tif 000003
【図２】
2007507676.tif 000004
【図３】
2007507676.tif 000005
【図４】
2007507676.tif 000006
【図５】
2007507676.tif 000007
【図６】
2007507676.tif 000008
【図７】
2007507676.tif 000009
【国際調査報告】
2007507676.tif 000010
2007507676.tif 000011
2007507676.tif 000012